(57)【特許請求の範囲】
【請求項１】
空気調和機が有する室外機の熱交換器に散水を行う散水装置において、
前記熱交換器に対して第１水を散布する第１散布及び前記熱交換器に対して前記第１水とは水質が異なる第２水を散布する第２散布を前記散水として行う散水部と、
前記第１散布を散布の開始と停止とが交互に繰り返される間欠散布とし、休止期間を挟んで前記間欠散布を複数回実行し、複数回実行される前記間欠散布のうちの先に実行される先間欠散布と前記先間欠散布の後に実行される後間欠散布とに挟まれる前記休止期間に前記第２散布を行うよう前記散水を制御する制御部と、
前記室外機に設けた温度センサと
を備え、
前記第２水に含まれる不純物の濃度は、前記第１水に含まれる不純物の濃度よりも低く、
前記制御部は、
前記先間欠散布の開始を実行して散布時間経過後に前記先間欠散布の停止を実行した際に前記温度センサで測定した測定温度が設定温度よりも高い場合に、前記先間欠散布を継続し、
前記測定温度が前記設定温度以下の場合に、前記先間欠散布を終了して前記休止期間に入り、前記休止期間中に前記第２散布を行う散水装置。
【請求項２】
前記散水部に前記第１水を供給する第１給水部を備え、
前記制御部は、前記第１給水部による前記第１水の供給を制御する請求項１記載の散水装置。
【請求項３】
前記散水部に前記第２水を供給する第２給水部を備え、
前記制御部は、前記第２給水部による前記第２水の供給を制御する請求項１又は請求項２に記載の散水装置。
【請求項４】
前記制御部は、前記間欠散布と前記第２散布とを交互に行うよう前記散水を制御する請求項１から請求項３までのいずれか１項に記載の散水装置。
【請求項５】
前記制御部は、前記間欠散布における前記第１水の散布時間が停止時間未満となるように、前記散水を制御する請求項１から請求項４までのいずれか１項に記載の散水装置。
【請求項６】
請求項１から請求項５までのいずれか１項に記載の散水装置
を備えている空気調和機。
【請求項７】
空気調和機が有する室外機の熱交換器に散水を行う散水方法において、
前記熱交換器に対して第１水の第１散布を散布の開始と停止とが交互に繰り返される間欠散布とし、休止期間を挟んで前記間欠散布を複数回実行し、
複数回実行される前記間欠散布のうちの先に実行される先間欠散布と前記先間欠散布の後に実行される後間欠散布とに挟まれる前記休止期間に、前記第１水とは水質が異なる第２水を前記熱交換器へ散布する第２散布を行い、
前記第２水に含まれる不純物の濃度は、前記第１水に含まれる不純物の濃度よりも低く、
前記室外機に設けた温度センサで前記室外機の温度を測定し、
前記先間欠散布の前記開始を実行して散布時間経過後に前記先間欠散布の前記停止を実行した際に前記温度センサで測定した測定温度が設定温度よりも高い場合に、前記先間欠散布を継続し、
前記測定温度が前記設定温度以下の場合に、前記先間欠散布を終了して前記休止期間に入り、前記休止期間中に前記第２散布を行う散水方法。
【請求項８】
前記第１水の前記間欠散布と前記第２水の散布とを交互に行う請求項７記載の散水方法。
【請求項９】
前記間欠散布における前記第１水の散布時間を、前記第１水の停止時間未満とする請求項７又は請求項８に記載の散水方法。
【発明の詳細な説明】
【技術分野】
【０００１】
この発明は、空気調和機の熱交換器に散水を行う散水装置、その散水装置を有する空気調和機、及び散水方法に関するものである。
【背景技術】
【０００２】
ビルなどに設置されている空気調和機の室外機において、外気温が高いときに、熱交換器の熱交換効率を高めて省エネ性を向上させるために、熱交換器に給水を一定期間散布して熱交換器を冷却する場合がある。給水には、一般的に普及されている水道水が使用されている。また、水道水が普及されていない地域では、給水として井戸水が使用されることがある。また、工場などでは、給水として、水道水よりも安価な工業用水が使用されることがある。【０００３】
これら給水中には、スケール成分及び腐食成分が含まれている。スケール成分としては、カルシウムイオン、マグネシウムイオン、炭酸イオン、硫酸イオン、シリカイオン等が挙げられる。腐食成分としては、塩化物イオン、銅イオン、鉄イオン、銅化合物、鉄化合物、硫化物等が挙げられる。【０００４】
このため、熱交換により給水が蒸発すると、熱交換器の放熱フィン等に、給水中のスケール成分及び腐食成分が濃縮された状態で析出又は堆積する場合がある。このような場合、放熱フィン、冷媒配管等がスケールで被覆されたり腐食したりしてしまい、熱交換効率の低下又は熱交換器の故障が発生する恐れがある。【０００５】
これに対して、従来の空冷式熱源機の散水システムでは、冷却用の給水を散布する冷却工程の終了後に、洗浄工程が実施される。洗浄工程では、冷却用の給水よりも高水質の洗浄水が散水され、熱交換器に付着又は堆積した不純物等の汚れが取り除かれる（例えば、特許文献１参照）。
【先行技術文献】
【特許文献】
【０００６】
【特許文献１】特開２０１６−１４２４３６号公報
【発明の概要】
【発明が解決しようとする課題】
【０００７】
特許文献１のような従来の散水システムでは、冷却用の給水が常時連続して散布されているため、冷却用の給水の使用量が増加し、コストが高くなる。【０００８】
この発明は、上記のような課題を解決するためになされたものであり、冷却用の給水を散布しつつも節水することができる散水装置、空気調和機、及び散水方法を得ることを目的とする。
【課題を解決するための手段】
【０００９】
この発明に係る散水装置は、空気調和機が有する室外機の熱交換器に散水を行う散水装置において、熱交換器に対して第１水を散布する第１散布及び熱交換器に対して第１水とは水質が異なる第２水を散布する第２散布を散水として行う散水部と、第１散布を散布の開始と停止とが交互に繰り返される間欠散布とし、休止期間を挟んで間欠散布を複数回実行し、複数回実行される間欠散布のうちの先に実行される先間欠散布と先間欠散布の後に実行される後間欠散布とに挟まれる休止期間に第２散布を行うよう散水を制御する制御部とを備えている。
また、この発明に係る散水方法は、空気調和機が有する室外機の熱交換器に散水を行う散水方法であって、熱交換器に対して第１水の第１散布を散布の開始と停止とが交互に繰り返される間欠散布とし、休止期間を挟んで間欠散布を複数回実行し、複数回実行される間欠散布のうちの先に実行される先間欠散布と先間欠散布の後に実行される後間欠散布とに挟まれる休止期間に、第１水とは水質が異なる第２水を熱交換器へ散布する第２散布を行う。
【発明の効果】
【００１０】
この発明によれば、冷却用の給水を散布しつつも節水することができる。
【図面の簡単な説明】
【００１１】
【図１】この発明の実施の形態１による空気調和機を模式的に示すブロック図である。
【図２】図１の散水装置を模式的に示すブロック図である。
【図３】図２の散水部からの第１水及び第２水の散布タイミングの一例を示すタイミングチャートである。
【図４】図２の制御部の動作の一例を示すフローチャートである。
【図５】実施の形態１の制御部の各機能を実現する処理回路の第１の例を示す構成図である。
【図６】実施の形態１の制御部の各機能を実現する処理回路の第２の例を示す構成図である。
【発明を実施するための形態】
【００１２】
以下、この発明を実施するための形態について、図面を参照して説明する。
実施の形態１．
＜空気調和機の構成＞
図１は、この発明の実施の形態１による空気調和機を模式的に示すブロック図である。図１において、空気調和機１は、室内機２、室外機３、及び散水装置４を有している。
【００１３】
室内機２は、室内に設置されており、室内の空気の温度等を調整する。室外機３は、室外に設置されており、熱交換器５を有している。熱交換器５は、室外空気と、熱交換器５内を流れる冷媒との熱交換を行う。散水装置４は、熱交換器５に給水を散布して、熱交換器５の熱交換効率を向上させる。
【００１４】
＜散水装置の構成＞
図２は、図１の散水装置４を模式的に示すブロック図である。散水装置４は、散水部１１、第１給水部１２、第２給水部１３、第１調整部１４、第２調整部１５、及び制御部１６を有している。
【００１５】
散水部１１は、熱交換器５に給水を散布する。給水には、第１水と第２水とがある。第１水は、熱交換器５を冷却する冷却水である。第２水は、熱交換器５を洗浄する洗浄水である。
【００１６】
第１給水部１２は、散水部１１に第１水を供給する。第２給水部１３は、散水部１１に第２水を供給する。
【００１７】
第２水の水質は、第１水の水質とは異なっている。具体的には、第２水の水質は、第１水の水質よりも高い。即ち、第２水に含まれる不純物の濃度は、第１水に含まれる不純物の濃度よりも低い。
【００１８】
例えば、第１水としては、一般的に普及されている水道水が用いられる。また、水道水が普及されていない地域では、第１水として、例えば井戸水を用いてもよい。また、工場などでは、第１水として、水道水よりも安価な工業用水を用いてもよい。このような第１水には、スケール成分、腐食成分等の不純物が含まれている。
【００１９】
スケール成分としては、カルシウムイオン、マグネシウムイオン、炭酸イオン、硫酸イオン、シリカイオン等が挙げられる。また、腐食成分としては、塩化物イオン、銅イオン、鉄イオン、銅化合物、鉄化合物、硫化物等が挙げられる。
【００２０】
一方、第２水としては、水道水、井戸水、工業用水等を、イオン交換樹脂、軟水器、又は純水製造装置に通した水が用いられる。このような第２水からは、スケール成分及び腐食成分が除去されている。
【００２１】
第１調整部１４は、第１給水部１２から散水部１１への第１水の供給を調整する。第２調整部１５は、第２給水部１３から散水部１１への第２水の供給を調整する。
【００２２】
制御部１６は、第１調整部１４及び第２調整部１５を制御する。これにより、制御部１６は、第１給水部１２から散水部１１への第１水の供給と、第２給水部１３から散水部１１への第２水の供給とを制御する。
【００２３】
制御部１６は、第１水の間欠散布を複数回行うとともに、各回の間欠散布の間に間欠散布を休止する休止期間をおくように、第１水の散水部１１への供給を制御する。間欠散布は、第１水の散布と停止とを交互に繰り返す散布方法である。
【００２４】
制御部１６は、第２水の散布を、第１水の間欠散布の休止期間に行うように、第２水の散水部１１への供給を制御する。第２水の散布は、第１水の間欠散布の休止期間に少なくとも１回行われる。また、第２水の散布は、１回の連続散布としても、間欠散布としてもよい。
【００２５】
散水部１１は、熱交換器５に対して第１水を散布する第１散布、及び熱交換器５に対して第２水を散布する第２散布を、散水として行う。制御部１６は、第１散布を散布の開始と停止とが交互に繰り返される間欠散布とし、休止期間を挟んで間欠散布を複数回実行し、休止期間に第２散布を行うよう散水を制御する。
【００２６】
制御部１６は、第１タイマ１７及び第２タイマ１８を有している。
【００２７】
図３は、図２の散水部１１からの第１水及び第２水の散布タイミングの一例を示すタイミングチャートである。図３では、第１水の散布タイミングを実線で示し、第２水の散布タイミングを破線で示している。また、第１水及び第２水は、図３のＯＮの時間に散布され、ＯＦＦの時間に停止される。
【００２８】
Ｔ１は、第１水の間欠散布の実施期間を示している。Ｔ２は、第１水の間欠散布の休止期間を示している。ｔ１は、間欠散布における第１水の１回の散布時間を示している。ｔ２は、間欠散布における第１水の１回の停止時間を示している。
【００２９】
制御部１６は、間欠散布における第１水の散布時間ｔ１が停止時間ｔ２未満となるように、第１水の散水部１１への供給を制御する。例えば、間欠散布における第１水の停止時間ｔ２、即ち散水間隔は、１分から５分の間に設定され、散布時間ｔ１は停止時間よりも短い時間に設定される。
【００３０】
停止時間ｔ２は、熱交換器５に散布された第１水が蒸発する前に次の第１水が散布されるように設定することが好ましい。
【００３１】
制御部１６は、第１水の間欠散布、即ち第１散布と、第２散布とを交互に行うように、第１水及び第２水の散水部１１への供給を制御する。
【００３２】
第２水を間欠散布する場合、間欠散布における第２水の停止時間は、１分から５分の間に設定され、散布時間は停止時間よりも短い時間に設定される。また、第２水の散布の停止時間は、熱交換器５に散布された第２水が蒸発する前に次の第２水が散布されるように設定することが好ましい。
【００３３】
第２水の供給時間は、第１水の総供給時間の１／１００〜１／２が好ましい。また、第２水の供給量は、第１水の総供給量の１／１００〜１／２が好ましい。
【００３４】
以下、散水装置４のさらに詳細な構成について説明する。
【００３５】
＜散水部の構成＞
散水部１１は、ノズル、ノズル配管、及び固定治具を有している。ノズル、ノズル配管、及び固定治具の図示は、省略する。ノズルは、第１水及び第２水を熱交換器５に散布する。ノズル配管は、第１水及び第２水をノズルに供給する。固定治具は、ノズル及びノズル配管を室外機３に固定する。
【００３６】
ノズルの設置位置、ノズルの個数、及び給水の散布形状は、熱交換器５に散水できれば特に限定しない。但し、ノズルの設置位置は、小さいスペースに設置できるように、熱交換器５の吸気側の側面又は上面が好ましく、さらに好ましくは、より広範囲に散布できる吸気側正面が良い。
【００３７】
ノズルの個数は、熱交換器５に散水可能であれば、１台の室外機３に対して１個でもよい。但し、熱交換器５の大きさ及び形状に応じて２個以上のノズルを用いることにより、散布面積を大きくし、冷却性をさらに高めることができる。
【００３８】
給水の散布形状は、給水を熱交換器５の吸気側正面から散布する場合、広範囲に一度に散布できる充円錐又は充四角錐が良い。また、給水を吸気側側面又は上面から散布する場合、散布形状は、より広範囲に散布できるように、扇形が好ましい。散布形状を扇形にすることで、側面又は上面から熱交換器５の下部へ給水を垂れ流すことができる。
【００３９】
なお、給水を熱交換器５の吸気側上面からのみ散布する場合は、ノズルではなく、複数の孔が開いた水配管を用いてもよく、冷却効果が得られる。
【００４０】
＜第１給水部の構成＞
第１給水部１２は、第１配管２１及び共通配管２３を介して散水部１１に接続されている。また、第１給水部１２は、第２水よりも水質の低い第１水を散水部１１に供給する。第１給水部１２には、原水供給管が接続されている。原水供給管としては、水道管、井戸水管、又は工業用水管が挙げられる。
【００４１】
原水供給管は、第１開閉バルブを介して第１給水部１２に接続されるのが好ましい。第１開閉バルブとしては、第１水の間欠散布の実施期間Ｔ１に合わせて自動的に開閉するように、タイマ制御可能であることが好ましい。
【００４２】
第１水の間欠散布の実施期間Ｔ１は、測定温度が、予め設定した第１設定温度以上になってから、第１設定温度以下の温度として予め設定した第２設定温度以下になるまでの時間とすることができる。なお、第２設定温度を、第１設定温度と同じにして、測定温度が第２設定温度未満となったときに実施期間Ｔ１を終了してもよい。
【００４３】
測定温度としては、外気温度、又は熱交換器５内を循環する冷媒の温度が挙げられる。外気温度又は冷媒の温度は、室外機３に温度センサを設けることで測定することができる。温度センサからの信号は、制御部１６に送信される。測定温度を冷媒の温度とする場合、第１設定温度として、冷媒が凝縮する温度を設定してもよい。
【００４４】
第１水の間欠散布の実施期間Ｔ１は、室外機３の消費電力が、予め設定した第１消費電力以上になってから、第１消費電力以下の電力として予め設定した第２消費電力以下になるまでの時間としてもよい。なお、第２消費電力を、第１消費電力と同じにして、消費電力が第２消費電力未満になったときに実施期間Ｔ１を終了してもよい。
【００４５】
原水供給管の水圧が、通常の０．１ＭＰａ〜０．３ＭＰａであれば、散水部１１に給水をそのまま送液できる。しかし、原水供給管の水圧が低く、散水部１１から熱交換器５に第１水を十分に散布できない場合は、送液ポンプを追加する必要がある。
【００４６】
多くの熱交換器５に第１水を一定水圧で安定して供給する場合、第１給水部１２は、原水供給管からの給水を貯水するタンクと、貯水した給水を散水部１１に送る送液ポンプとで構成することが好ましい。
【００４７】
＜第２給水部の構成＞
第２給水部１３は、第２配管２２及び共通配管２３を介して散水部１１に接続されている。また、第２給水部１３は、第１水よりも水質の高い第２水を散水部１１に供給する。第２給水部１３は、イオン交換樹脂、軟水器、又は純水製造装置を有している。
【００４８】
第２給水部１３には、第２開閉バルブを介して、原水供給管が接続されている。第２開閉バルブとしては、第２水の散布時間ｔ３に合わせて自動的に開閉するように、タイマ制御可能であることが好ましい。
【００４９】
第２水の散布時間ｔ３は、第１水の間欠散布の休止期間Ｔ２よりも短い時間である。第２水は、第１水の間欠散布の実施期間Ｔ１が経過した後に散布される。
【００５０】
原水供給管の水圧が、通常の０．１ＭＰａ〜０．３ＭＰａであれば、散水部１１に給水をそのまま送液できる。しかし、原水供給管の水圧が低く、散水部１１から熱交換器５に第２水を十分に散布できない場合は、送液ポンプを追加する必要がある。
【００５１】
多くの熱交換器５に第２水を一定水圧で安定して供給する場合、第２給水部１３は、イオン交換樹脂、軟水器、又は純水製造装置を通した給水を貯水するタンクと、貯水した給水を散水部に送る送液ポンプとで構成することが好ましい。
【００５２】
＜第１調整部、第２調整部、及び制御部の構成＞
第１調整部１４は、第１配管２１に設けられている。第２調整部１５は、第２配管２２に設けられている。第１調整部１４及び第２調整部１５としては、それぞれ電磁弁を用いることができる。
【００５３】
制御部１６は、第１タイマ１７がオン状態のときに、第１調整部１４の電磁弁に電気信号を送る。これにより、第１調整部１４の電磁弁が開く。また、制御部１６は、第１タイマ１７がオフ状態のときに、第１調整部１４への送電を遮断する。これにより、第１調整部１４の電磁弁が閉じる。
【００５４】
第１調整部１４の電磁弁は、第１水の間欠散布の実施期間Ｔ１の間に少なくとも２回以上繰り返し開閉することができる。
【００５５】
制御部１６は、第２タイマ１８がオン状態のとき、第２調整部１５の電磁弁に電気信号を送る。これにより、第２調整部１５の電磁弁が開く。また、制御部１６は、第２タイマ１８がオフ状態のときに、第２調整部１５への送電を遮断する。これにより、第２調整部１５の電磁弁が閉じる。
【００５６】
第２調整部１５の電磁弁は、第１水の間欠散布の休止期間Ｔ２の間に少なくとも２回以上繰り返し開閉することができる。
【００５７】
第１調整部１４、第２調整部１５、及び制御部１６は、１箇所にまとめて配置することが好ましい。これにより、設置スペースを縮小化することができ、１つの制御部１６で第１調整部１４と第２調整部１５とを操作することができる。
【００５８】
例えば、第１水の間欠散布の実施期間Ｔ１を測定温度に基づいて設定する場合、測定温度が第１設定温度以上となったことが温度センサにより検出されると、制御部１６は、第１タイマ１７をオン状態にする。これにより、第１給水部１２から散水部１１に第１水が供給され、散水部１１から熱交換器５に第１水が散布される。
【００５９】
制御部１６は、実施期間Ｔ１の間、設定された周期で第１調整部１４の電磁弁を開閉するとともに、第２調整部１５の電磁弁を閉じたままとする。
【００６０】
その日の天気によっては、例えば測定温度が第１設定温度以上となった後、夕方まで第２設定温度以下にならない場合がある。この場合、第１水の間欠散布が日中ずっと行われることになる。即ち、間欠散布の実施期間Ｔ１は、測定温度が第１設定温度以上となってから、夕方までとなる。
【００６１】
この後、夕方に測定温度が第２設定温度以下になると、第１タイマ１７を動作させる電源がオフとなる。これにより、第１水の散布が停止され、間欠散布の休止期間Ｔ２に入る。
【００６２】
休止期間Ｔ２においては、第２タイマ１８を動作させる電源がオンとなる。そして、散布時間ｔ３だけ、第２水が散布される。散布時間ｔ３が経過すると、第２タイマ１８を動作させる電源がオフとなる。これにより、第２水の散水が停止され、次の実施期間Ｔ１に入るまで、休止期間Ｔ２が継続される。
【００６３】
日中、測定温度が第１設定温度以上になったり第２設定温度以下になったりすることが何度も繰り返される場合がある。この場合、１回目の第１水の間欠散布、１回目の第２水の散布、２回目の第１水の間欠散布、２回目の第２水の散布の順で、第１水の間欠散布と第２水の散布とが交互に繰り返される。
【００６４】
＜制御部の動作＞
図４は、図２の制御部１６の動作の一例を示すフローチャートである。制御部１６は、ステップＳ１において、温度センサからの信号に基づいて、測定温度が第１設定温度以上になったかどうかを監視する。測定温度が第１設定温度未満であれば、制御部１６は、第１水も第２水も散布せず、測定温度の監視を継続する。
【００６５】
測定温度が第１設定温度以上になると、制御部１６は、ステップＳ２において、第１水の間欠散布の実施期間Ｔ１に入り、ステップＳ３において、第１水を散布する。この後、制御部１６は、ステップＳ４において、第１水の散布時間ｔ１が経過するのを待つ。
【００６６】
散布時間ｔ１が経過すると、制御部１６は、ステップＳ５において、第１水の散布を停止する。この後、制御部１６は、ステップＳ６において、第１水の停止時間ｔ２が経過するのを待つ。
【００６７】
停止時間ｔ２が経過すると、制御部１６は、ステップＳ７において、測定温度が第２設定温度以下になったかどうかを確認する。測定温度が第２設定温度よりも高い場合、制御部１６は、ステップＳ３の処理に戻り、第１水の間欠散布を継続する。制御部１６は、測定温度が第２設定温度以下になるまで、ステップＳ３からステップＳ７までの処理を繰り返す。
【００６８】
測定温度が第２設定温度以下になると、制御部１６は、ステップＳ８において、第１水の間欠散布の休止期間Ｔ２に入る。休止期間Ｔ２中は、第１調整部１４の電磁弁は、閉じたままであり、第１水の散布は停止されたままである。
【００６９】
ステップＳ７の処理は、間欠散布の実施期間Ｔ１中のどのタイミングで実施してもよく、また複数回実施してもよい。第１水の散布中に測定温度が第２設定温度以下になった場合、制御部１６は、第１水の散布を停止してから、休止期間Ｔ２に入る。
【００７０】
休止期間Ｔ２に入ると、制御部１６は、ステップＳ９において、第２水を散布する。第２水の散布は、休止期間Ｔ２に入った直後に開始しても、休止期間Ｔ２に入ってから設定時間後に開始してもよい。
【００７１】
制御部１６は、ステップＳ１０において、第２水の散布時間ｔ３が経過するのを待つ。散布時間ｔ３が経過すると、制御部１６は、ステップＳ１１において、第２水の散布を停止する。
【００７２】
第２水の散布は、１回だけであるが、休止期間Ｔ２中に第２水を間欠散布してもよい。
【００７３】
第２水の散布を停止すると、制御部１６は、ステップＳ１の処理に戻り、休止期間Ｔ２を継続する。
【００７４】
なお、室外機の１日の運転が終了した後にも、第２水の散布を行ってもよい。
【００７５】
このように、実施の形態１の空気調和機１の散水方法では、熱交換器５への第１水の間欠散布を複数回行うとともに、熱交換器５への第２水の散布を、第１水の間欠散布の休止期間中に行う。また、第１水の間欠散布と第２水の散布とを交互に行う。
【００７６】
このような空気調和機１の散水装置４及び散水方法では、熱交換器５への第１水の間欠散布を行うため、これにより、熱交換器５の消費電力を低減しつつ、熱交換器５との熱交換に使われず排水される第１水の量を削減し、節水することができる。即ち、冷却用の給水を散布しつつも節水することができる。これにより、省エネ性の向上を図るとともに、給水代を節約することができる。
【００７７】
洗浄水である第２水の熱交換器５への散布を、第１水の間欠散布の休止期間中に行うので、第１水に含まれているスケール成分及び腐食成分の濃縮を抑制し、熱交換器５の熱交換効率の低下及び故障を抑制することができる。
【００７８】
このように、実施の形態１の散水装置４及び散水方法によれば、熱交換器５の耐久性を維持しつつ、節水することができる。
【００７９】
制御部１６は、第１給水部１２による第１水の供給を制御し、第２給水部１３による第２水の供給を制御するので、散水部１１の構成を簡単にすることができる。
【００８０】
第１水の間欠散布と第２水の散布とを交互に行うので、熱交換器５の耐久性をより確実に維持することができる。
【００８１】
間欠散布における第１水の散布時間を、第１水の停止時間未満としたので、熱交換器５との熱交換に使われず排水される第１水の量をさらに削減することができる。
【００８２】
第２水に含まれる不純物の濃度は、第１水に含まれる不純物の濃度よりも低いので、熱交換器５の耐久性をより確実に維持することができる。
【００８３】
なお、必ずしも毎回の休止期間Ｔ２に第２水を散布しなくてもよい。
【００８４】
第１水の水質と第２水の水質との違いは、不純物の濃度に限るものではない。
【００８５】
上記の例では、測定温度に基づいて第１水の間欠散布を開始したり休止したりしたが、間欠散布の実施期間Ｔ１は、開始及び終了は予め設定した時刻としてもよい。
【００８６】
実施の形態１の制御部１６の各機能は、処理回路によって実現される。図５は、実施の形態１の制御部１６の各機能を実現する処理回路の第１の例を示す構成図である。第１の例の処理回路１００は、専用のハードウェアである。
【００８７】
処理回路１００は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、又はこれらを組み合わせたものが該当する。また、制御部１６の各機能それぞれを個別の処理回路１００で実現してもよいし、各機能をまとめて処理回路１００で実現してもよい。
【００８８】
図６は、実施の形態１の制御部１６の各機能を実現する処理回路の第２の例を示す構成図である。第２の例の処理回路２００は、プロセッサ２０１及びメモリ２０２を備えている。
【００８９】
処理回路２００では、制御部１６の各機能は、ソフトウェア、ファームウェア、又はソフトウェアとファームウェアとの組み合わせにより実現される。ソフトウェア及びファームウェアは、プログラムとして記述され、メモリ２０２に格納される。プロセッサ２０１は、メモリ２０２に記憶されたプログラムを読み出して実行することにより、各機能を実現する。
【００９０】
メモリ２０２に格納されたプログラムは、上述した各部の手順又は方法をコンピュータに実行させるものであるとも言える。ここで、メモリ２０２とは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の、不揮発性又は揮発性の半導体メモリである。また、磁気ディスク、フレキシブルディスク、光ディスク、コンパクトディスク、ミニディスク、ＤＶＤ等も、メモリ２０２に該当する。
【００９１】
なお、上述した各部の機能について、一部を専用のハードウェアで実現し、一部をソフトウェア又はファームウェアで実現するようにしてもよい。
【００９２】
このように、処理回路は、ハードウェア、ソフトウェア、ファームウェア、又はこれらの組み合わせによって、上述した各部の機能を実現することができる。
【符号の説明】
【００９３】
１  空気調和機、３  室外機、４  散水装置、５  熱交換器、１１  散水部、１２  第１給水部、１３  第２給水部、１６  制御部。
【要約】
空気調和機が有する室外機の熱交換器に散水を行う散水装置において、散水部は、熱交換器に対して第１水を散布する第１散布、及び熱交換器に対して第１水とは水質が異なる第２水を散布する第２散布を行う。制御部は、第１散布を散布の開始と停止とが交互に繰り返される間欠散布とし、休止期間を挟んで間欠散布を複数回実行し、休止期間に第２散布を行うよう散水を制御する。【図１】
0006690067.tif 000002
【図２】
0006690067.tif 000003
【図３】
0006690067.tif 000004
【図４】
0006690067.tif 000005
【図５】
0006690067.tif 000006
【図６】
0006690067.tif 000007